(57)【要約】【課題】過大なスピーカ入力信号がスピーカに供給されたときやコイルボビンの温度が上昇したときに、それをユーザに報知するとともにスピーカの損傷を確実に防止すること。【解決手段】スピーカ入力信号をスピーカ駆動信号として出力するスピーカ駆動回路３と、スピーカ１のボイスコイル１ａの振幅に基づく直流電圧（整流回路４から出力される直流電圧）が第２の閾値に達するとスピーカ入力信号が過大入力信号であることを報知するＬＥＤ７と、スピーカ１に設けられるボイスコイル１ａの振幅に基づく直流電圧が第１の閾値に達するとスピーカ駆動回路３に対してスピーカ入力信号の大きさを制限するリミッタ信号を出力する帰還回路５とを有する。そして、第１の閾値を第２の閾値より大きくしている。また、スピーカ内のコイルボビン１ａの温度上昇を検知する温度検出部を設けることで同様な制御を可能としている。【選択図】　　　図１
2004007107.tif 000002
【特許請求の範囲】
【請求項１】
スピーカ入力信号をスピーカ駆動信号として出力するスピーカ駆動回路と、スピーカに設けられるボイスコイルの振幅により誘起される起電力を直流電圧に変換する整流回路と、この整流回路から出力される直流電圧が予め設定された閾値に達すると動作し、上記スピーカ入力信号が過大入力信号であることを報知する報知手段と、上記スピーカに設けられるボイスコイルの振幅の大きさに基づく電圧が予め設定された閾値に達すると上記スピーカ駆動回路に対して上記スピーカ入力信号の大きさの制限を行うリミッタ信号を出力する帰還回路とを有することを特徴とする音響装置。
【請求項２】
前記予め設定された閾値は、前記スピーカが損傷しない範囲の上限のスピーカ入力信号に対応する前記整流回路からの直流電圧の値に設定される第１の閾値と、この第１の閾値よりも小さく、スピーカ入力信号の適正範囲の上限または上限付近のスピーカ入力信号に対応する前記整流回路からの直流電圧の値に設定される第２の閾値の２段階に設定され、前記報知手段は、そのときのスピーカ入力信号に対応する前記整流回路からの直流電圧が上記第２の閾値に達したときに動作し、前記帰還回路は、スピーカ入力信号に対応する前記整流回路からの直流電圧が上記第１の閾値に達したときに動作することを特徴とする請求項１記載の音響装置。
【請求項３】
前記報知手段は、発光手段、音発生手段の少なくとも一方であることを特徴とする請求項１または２記載の音響装置。
【請求項４】
スピーカ入力信号をスピーカ駆動信号として出力するスピーカ駆動回路と、スピーカに設けられるボイスコイルの振幅により誘起される起電力を直流電圧に変換する整流回路と、上記スピーカに設けられるボイスコイルの温度が上昇して予め設定された閾値に達すると動作状態となり、上記スピーカ駆動回路に対して上記スピーカ入力信号の制限を行うためのリミッタ信号を出力する温度検出手段と、この温度検出手段が動作状態となることによって前記整流回路からの直流電圧を受けて動作する報知手段とを有することを特徴とする音響装置。
【請求項５】
前記予め設定された閾値は、前記ボイスコイルが溶融しない範囲の上限の温度に設定される第１の閾値と、この第１の閾値よりも低く、当該ボイスコイルの適正温度範囲の上限または上限付近の温度に設定される第２の閾値の２段階に設定され、前記温度検出部は、前記ボイスコイルの温度が上記第２の閾値に達すると、上記報知手段に対して前記整流回路からの直流電圧を与え、前記ボイスコイルの温度が上記第１の閾値に達すると、前記スピーカ駆動回路に対してリミッタ信号を出力することを特徴とする請求項４記載の音響装置。
【請求項６】
前記報知手段は、発光手段、音発生手段の少なくとも一方であることを特徴とする請求項４または５記載の音響装置。
【発明の詳細な説明】
【０００１】
【発明の属する技術分野】
本発明は、音響装置に関する。
【０００２】
【従来の技術】
音響装置を構成するスピーカの特性の向上を図る手段の一つとして、スピーカのボイスコイルの振幅によって誘起される起電力を用いて、スピーカへの入力信号（以下ではスピーカ入力信号という）を適正化することが従来より行われている。
【０００３】
すなわち、ボイスコイルは、スピーカ入力信号が大きくなると、その振幅も大きくなるのが一般的であるので、ボイスコイルの振幅により誘起される起電力は、スピーカ入力信号が大きいほど大きい値となる。したがって、この起電力の大きさはスピーカ入力信号の大きさを表す指標として用いることができ、これを用いてスピーカ入力信号の適正化を実現することが可能となる。
【０００４】
そこで従来から、スピーカのボイスコイルの振幅により誘起される起電力を整流して得られる直流電圧の大きさが、予め設定した閾値以上となると、発光ダイオード（ＬＥＤ）などの発光素子を点灯させる技術や、その起電力を帰還回路にフィードバックさせてスピーカ入力信号を制御するなどの技術が多数提案されている。なお、スピーカのボイスコイルの振幅により誘起される起電力を整流して得られる直流電圧のことを、以下では、ボイスコイルの振幅に基づく直流電圧という。
【０００５】
【発明が解決しようとする課題】
確かに、ボイスコイルの振幅に基づく直流電圧が予め設定した閾値以上となったときにＬＥＤなどの発光素子を点灯させるようにすれば、スピーカに過大なスピーカ入力信号が加わっていることをユーザに報知することができ好ましい。しかし、単に、ボイスコイルの振幅に基づく直流電圧が予め設定した閾値以上となったときにＬＥＤなどの発光素子を点灯するだけでは、ユーザが発光素子の点灯に気付かなかったり、発光素子が点灯としているのを知りながらそれに対処するための操作を行わないと、スピーカに過大な入力が加わり、やがては、スピーカの損傷につながるおそれがある。
【０００６】
また、上述した帰還回路を設ける技術は、その帰還回路から出力される信号を用いて、過大なスピーカ入力信号が加わらないように、スピーカ入力信号を制御することで、スピーカ特性の改善を図ろうとするものであり、この面で確かに好ましい。
【０００７】
すなわち、この技術は、スピーカ入力信号の制御を行うものであり、たとえば、スピーカ入力信号に対してリミッタ制御を行うことで、スピーカの入力を自動的に適正化することができ、スピーカの特性改善の効果は期待できる。しかし、スピーカ入力信号をリミッタするだけで、ユーザに対する報知動作が存在しないと、リミッタ制御が行われた場合でも、ユーザはそれを知ることができず、スピーカ入力信号が過大となっていることがわからない。
【０００８】
このように、スピーカ入力信号を自動的に適正化できること自体は、音響装置としては、有用な技術ではあるが、ユーザに対して、そのときのスピーカ入力の大きさが適正でないことを知らせることも重要である。また、ボイスコイルの温度が上昇すると、ボイスコイルが溶融し、電流漏れ等の不具合が発生する。このような不具合は、スピーカ、ひいては音響装置としての不具合につながり好ましくない。
【０００９】
本発明は、ボイスコイルの振幅に基づく電圧を用いて、スピーカへの過大な入力信号に対する警告を発するとともに、スピーカへの入力信号に制限をかけることを可能とた音響装置を提供することを目的とする。また、他の発明は、スピーカのボイスコイルの温度を検出して、その温度が異常となった場合への対処を可能とした音響装置を提供することを目的としている。
【００１０】
【課題を解決するための手段】
上述した目的を達成するために、本発明の音響装置は、スピーカ入力信号をスピーカ駆動信号として出力するスピーカ駆動回路と、スピーカに設けられるボイスコイルの振幅により誘起される起電力を直流電圧に変換する整流回路と、この整流回路から出力される直流電圧が予め設定された閾値に達すると動作し、スピーカ入力信号が過大入力信号であることを報知する報知手段と、スピーカに設けられるボイスコイルの振幅の大きさに基づく電圧が予め設定された閾値に達するとスピーカ駆動回路に対してスピーカ入力信号の大きさの制限を行うリミッタ信号を出力する帰還回路とを有している。
【００１１】
このような音響装置において、上述の予め設定された閾値は、スピーカが損傷しない範囲の上限のスピーカ入力信号に対応する整流回路からの直流電圧に設定される第１の閾値と、この第１の閾値よりも小さく、スピーカ入力信号の適正範囲の上限または上限付近のスピーカ入力信号に対応する整流回路からの直流電圧に設定される第２の閾値の２段階に設定され、報知手段は、そのときのスピーカ入力信号に対応する整流回路からの直流電圧が第２の閾値に達したときに動作し、帰還回路は、スピーカ入力信号に対応する前記整流回路からの直流電圧が第１の閾値に達したときに動作するのが好ましい。
【００１２】
また、報知手段は、発光手段、音発生手段の少なくとも一方とするのが好ましい。
【００１３】
また、他の発明である音響装置は、スピーカ入力信号をスピーカ駆動信号として出力するスピーカ駆動回路と、スピーカに設けられるボイスコイルの振幅により誘起される起電力を直流電圧に変換する整流回路と、スピーカに設けられるボイスコイルの温度が上昇して予め設定された閾値に達すると動作状態となり、スピーカ駆動回路に対してスピーカ入力信号の制限を行うためのリミッタ信号を出力する温度検出手段と、この温度検出手段が動作状態となることによって整流回路からの直流電圧を受けて動作する報知手段とを有している。
【００１４】
このような音響装置において、上述の予め設定された閾値は、ボイスコイルが溶融しない範囲の上限の温度に設定される第１の閾値と、この第１の閾値よりも低く、当該ボイスコイルの適正温度範囲の上限または上限付近の温度に設定される第２の閾値の２段階に設定され、温度検出部は、ボイスコイルの温度が第２の閾値に達すると、報知手段に対して整流回路からの直流電圧を与え、ボイスコイルの温度が第１の閾値に達すると、スピーカ駆動回路に対してリミッタ信号を出力するようにするのが好ましい。
【００１５】
また、報知手段は、発光手段、音発生手段の少なくとも一方とするのが好ましい。
【００１６】
【発明の実施の形態】
以下、本発明を第１の実施の形態と第２の実施の形態の２つの実施の形態に分けて説明する。
【００１７】
〔第１の実施の形態〕
図１は、本発明の音響装置の第１の実施の形態を説明する図である。この音響装置は、スピーカ１と、このスピーカ１に対する入力信号（スピーカ入力信号）を発生するスピーカ入力信号発生部２と、このスピーカ入力信号発生部２から出力されるスピーカ入力信号を増幅する機能や、スピーカ入力信号の大きさに制限をかけるリミッタ機能を有し、これらの機能によって、スピーカを駆動する信号を生成するスピーカ駆動回路３と、スピーカ１に設けられるボイスコイル１ａの振幅により誘起される逆起電力を整流して直流電圧（これをＶで表す）を生成する整流回路４と、この整流回路４から出力される直流電圧Ｖを入力して、その直流電圧Ｖが予め定められた電圧（これを第１の閾値としＶｔｈ１で表す）に達したとき動作し、上述のスピーカ駆動回路３に対してリミッタ信号を出力する帰還回路５と、上述の整流回路４から出力された直流電圧Ｖを入力して、その直流電圧Ｖが予め定められた電圧（これを第２の閾値としＶｔｈ２で表し、Ｖｔｈ２＜Ｖｔｈ１とする）に達したとき、その直流電圧Ｖを抵抗６とで分圧して得られた直流電圧によって発光動作する発光手段としてのＬＥＤ７とを有している。
【００１８】
ここで、第１の閾値Ｖｔｈ１は、スピーカ１が損傷しない範囲の上限のスピーカ入力信号に対応したボイスコイル１ａの振幅に基づく直流電圧（ボイスコイル１ａの振幅により誘起される起電力を整流して得られる直流電圧）の値に設定される。なお、上述のスピーカ１が損傷しない範囲の上限のスピーカ入力信号というのは、ここでは、それ以上大きなスピーカ入力信号であるとスピーカ１が損傷する可能性のある入力信号の限界値（以下では、許容限界入力信号と呼ぶことにする）としている。
【００１９】
また、第２の閾値Ｖｔｈ２は、第１の閾値Ｖｔｈ１よりも小さい値であり、たとえば、スピーカ入力信号の適正範囲の上限または上限付近に対応するボイスコイル１ａの振幅に基づく直流電圧とする。
【００２０】
このように構成された第１の実施の形態の動作について説明する。
【００２１】
スピーカ入力信号は、スピーカ入力信号発生部２からスピーカ駆動回路３に入力され、増幅などの処理がなされたのちに、スピーカ駆動信号としてスピーカ１に供給される。スピーカ１は、そのスピーカ駆動信号によって動作する。スピーカ１に設けられたボイスコイル１ａは、スピーカ駆動信号の大きさに対応した振幅を生じ、その振幅の大きさに応じた逆起電力を発生する。
【００２２】
この逆起電力は、整流回路４によって直流電圧（ボイスコイル１ａの振幅に基づく直流電圧）Ｖに変換されたのちに、ＬＥＤ７と帰還回路５の両方へ供給される。ここで、整流回路４から出力される直流電圧Ｖが、第２の閾値Ｖｔｈ２に達しない状態、つまり、Ｖ＜Ｖｔｈ２である場合には、ＬＥＤ７は非点灯状態を保持し、また、帰還回路５も非動作状態を保持している。
【００２３】
このように、整流回路４から出力される直流電圧Ｖが、Ｖ＜Ｖｔｈ２である場合には、スピーカ入力信号は適正な大きさの範囲内であり、その場合は、ＬＥＤ７は点灯せず、また、帰還回路５も動作しない。
【００２４】
そして、スピーカ入力信号が大きくなると、それに伴い、ボイスコイル１ａの振幅に基づく直流電圧Ｖも大きくなり、やがて、第２の閾値Ｖｔｈ２に達したとする（ただし、この段階では、まだＶ＜Ｖｔｈ１である）。つまり、直流電圧Ｖが、Ｖｔｈ２≦Ｖ＜Ｖｔｈ１となったとすると、ＬＥＤ７が点灯し、ユーザに対し、スピーカ入力信号が過大となったことを知らせる。ただし、このＬＥＤ７が点灯しているのみの段階では、帰還回路５は非動作状態であり、スピーカ入力信号に対するリミッタ制御は行われない。なお、第２の閾値Ｖｔｈ２に達するとは、Ｖｔｈ２＜Ｖのみの条件の場合も含むものとする。
【００２５】
そして、スピーカ入力信号がさらに大きくなると、それに伴い、ボイスコイル１ａの振幅に基づく直流電圧Ｖもさらに大きくなり、やがて、第１の閾値Ｖｔｈ１に達したとする。つまり、Ｖｔｈ１＝Ｖとなったとすると、ＬＥＤ７の点灯が継続しているのは勿論のこと、帰還回路５も動作を開始し、スピーカ駆動回路３に対して、リミッタ信号を出力する。なお、Ｖｔｈ１＜Ｖの状態の場合も第１の閾値Ｖｔｈ１に達した状態に含まれるが、この状態は一瞬生じてもリミッタが働き、すぐにＶｔｈ１＝Ｖとなる。
【００２６】
このようにリミッタ信号の出力によって、スピーカ駆動回路３は、スピーカ入力信号を制限するリミッタ制御を行い、それ以上大きなスピーカ入力信号が入力されたとしても、入力信号を許容限界入力信号に保持する動作を行う。
【００２７】
このように、スピーカ入力信号がより大きくなり、それに伴って、ボイスコイル１ａの振幅に基づく直流電圧Ｖが、第１の閾値Ｖｔｈ１に達すると、ＬＥＤ７の点灯は勿論、帰還回路５が動作を行うことで、スピーカ入力信号の大きさに制限をかける動作を行う。
【００２８】
図２は、ボイスコイル１ａの振幅に基づく直流電圧Ｖ（整流回路４から出力される直流電圧Ｖ）の経時変化を示すものである。スピーカ入力信号の大きさがスピーカ１にとって適正範囲である場合、つまり、ボイスコイル１ａの振幅に基づく直流電圧Ｖが第２の閾値Ｖｔｈ２未満（Ｖ＜Ｖｔｈ２）である場合には、ＬＥＤ７は点灯せず、また、帰還回路５も動作しないので、スピーカ入力信号に対するリミッタ制御もなされない。
【００２９】
そして、スピーカ入力信号が大きくなって、時刻ｔ１で、ボイスコイル１ａの振幅に基づく直流電圧Ｖが第２の閾値Ｖｔｈ２に達したとすると、ＬＥＤ７が点灯する。ただし、この段階では、直流電圧Ｖは、Ｖｔｈ２≦Ｖ＜Ｖｔｈ１であるので、帰還回路５は動作せず、スピーカ入力信号に対するリミッタ制御は行われない。
【００３０】
そして、スピーカ入力信号がさらに大きくなって、時刻ｔ２で、ボイスコイル１ａの振幅に基づく直流電圧Ｖが第１の閾値Ｖｔｈ１に達したとすると、ＬＥＤ７の点灯継続は勿論、帰還回路５が動作して、スピーカ駆動回路３に対してリミッタ信号を出力する。それによって、スピーカ入力信号は、そのときの大きさ（上述したスピーカ１の許容限界入力信号）に制限され、それ以上大きなスピーカ入力信号が入力されたとしても、スピーカ１に対しては、その許容限界入力信号より大きな信号は供給されないので、過度な音割れが生じたり、スピーカ１が損傷したりするのを未然に防止することができる。
【００３１】
以上説明したように、この第１の実施の形態では、スピーカ入力信号の大きさが適正範囲内である場合には、ＬＥＤ７は非点灯状態にあり、また、帰還回路５も非動作状態にある。そして、その状態から、スピーカ入力信号が大きくなって、そのスピーカ入力信号が適正範囲の上限または上限付近に達すると、つまり、ボイスコイル１ａの振幅に基づく直流電圧Ｖが第２の閾値Ｖｔｈ２に達すると、ＬＥＤ７が点灯し、ユーザに対し、スピーカ入力信号が適正範囲の上限または上限付近に達したことを知らせることができる。
【００３２】
また、スピーカ入力信号がさらに大きくなって、そのスピーカ入力信号が許容限界入力信号に達すると、つまり、ボイスコイル１ａの振幅に基づく直流電圧Ｖが第１の閾値Ｖｔｈ１に達すると、ＬＥＤ７の点灯は勿論、帰還回路５が動作して、リミッタ信号をスピーカ駆動回路３に出力する。それによって、スピーカ入力信号の大きさが許容限界入力信号を超えないように制限され、スピーカ１に対してその許容限界入力信号よりも大きなスピーカ入力信号がスピーカ駆動回路３に入力されることがなくなる。このため、過度な音割れが生じたり、スピーカ１が損傷したりするのを未然に防止することができる。
【００３３】
図３は、この第１の実施の形態の変形例を示すもので、図１で示した音響装置に対して、発光手段としてのＬＥＤ７の代わりに、たとえば、電子音発生器などの音発生手段９を設けた例であり、その他は、図１と同じであり、同一部分には同一符号を付し、その説明を省略または簡略化する。
【００３４】
すなわち、この図３に示す音響装置は、発光手段としてＬＥＤ７を発光させる代わりに、電子音などを鳴らすことによって、スピーカ入力信号が適正範囲の上限値に達したことを知らせるようにしたものである。その他の動作については、前述したと同様であるので、ここではその説明は省略する。
【００３５】
この図３に示すような構成としても、スピーカ入力信号が適正範囲の上限または上限付近以上となると、つまり、ボイスコイル１ａの振幅に基づく直流電圧Ｖが第２の閾値Ｖｔｈ２に達すると、音発生手段９が電子音などを発生し、これによって、ユーザに対して、スピーカ入力信号が適正範囲の上限または上限付近以上となったことを知らせることができる。
【００３６】
また、スピーカ入力信号がさらに大きくなって、そのスピーカ入力信号が許容限界入力信号に達すると、つまり、ボイスコイル１ａの振幅に基づく直流電圧Ｖが第１の閾値Ｖｔｈ１に達すると、電子音などを鳴らせる動作は勿論、帰還回路５が動作して、リミッタ信号をスピーカ駆動回路３に出力する。それによって、スピーカ入力信号の大きさが許容限界入力信号より大きくならないように制限され、スピーカ１に対してその許容限界入力信号よりも大きなスピーカ入力信号が入力されることがなくなるので、過度な音割れが生じたり、スピーカ１が損傷したりするのを未然に防止することができる。
【００３７】
さらに、音発生手段９と前述した発光手段（ＬＥＤ７など）を組み合わせて、両方を同時に動作させることも可能であり、また、選択スイッチなどを設けることによって、いずれか一方を選択して動作させるようにすることもできる。
【００３８】
また、この第１の実施の形態においては、ＬＥＤ７や音発生手段９は、ボイスコイル１ａの振幅に基づく直流電圧Ｖが第２の閾値Ｖｔｈ２に達したときは勿論、第１の閾値Ｖｔｈ１に達したときも動作するが、第２の閾値Ｖｔｈ２に達したときと第１の閾値Ｖｔｈ１に達したときとで、ＬＥＤ７の発光の仕方や音発生手段９などの音を変えるようにしてもよい。
【００３９】
たとえば、ＬＥＤ７であれば第２の閾値Ｖｔｈ２の段階では点滅発光、第１の閾値Ｖｔｈ１に達すると連続発光などとし、音発生手段９であれば第２の閾値Ｖｔｈ２の段階では断続音、第１の閾値Ｖｔｈ１では連続音などとすることもできる。
【００４０】
また、上述の例では、ボイスコイル１ａの振幅に基づく直流電圧Ｖが第２の閾値Ｖｔｈ２に達すると、まず、ＬＥＤ７を点灯させるだけの動作を行い（その段階では、スピーカ駆動回路３はリミッタ制御を行わない）、直流電圧Ｖが第１の閾値Ｖｔｈ１にまで達したら、ＬＥＤ７の点灯とともに、スピーカ駆動回路３に対してリミッタ信号を出力し、その段階で、スピーカ入力信号に対してリミッタ制御を行わせるというように、直流電圧Ｖの閾値を第２の閾値Ｖｔｈ２と第１の閾値Ｖｔｈ１の２段階に設定するようにしたが、閾値は１つとし、直流電圧Ｖが予め設定した閾値に達すると、ＬＥＤ７を点灯させるとともに、スピーカ入力信号に対してリミッタ制御を行うようにしてもよい。
【００４１】
なお、この１つの閾値とする場合、その閾値をどの直流電圧値とするかは、種々考えられるが、たとえば、前述の例で説明した第１の閾値Ｖｔｈ１を１つの閾値として用いてもよく、また、第１の閾値Ｖｔｈ１と第２の閾値Ｖｔｈ２の中間点付近にある閾値を設定するようにしてもよい。
【００４２】
このように、第１の実施の形態の音響装置は、スピーカ入力信号が過大入力信号となった場合、それを報知手段となるＬＥＤ７や音発生手段９によって報知するとともに、そのスピーカ入力信号をリミッタ制御するようにしている。これにより、ユーザは過大入力信号に対処するための操作をいち早く行うことができ、仮にその操作が行われない場合でも、自動的にリミッタ制御がなされるため、過度な音割れが生じたりスピーカが損傷したりするのを未然に防止することができる。
【００４３】
また、閾値を第１の閾値とそれより小さい値の第２の閾値の２段階に設定し、整流回路４からの直流電圧Ｖ（ボイスコイル１ａの振幅に基づく直流電圧Ｖ）がその第２の閾値に達すると、まず、報知手段でスピーカ入力が適正範囲を超えたことを報知し、そして、スピーカ入力信号がさらに大きくなって、整流回路４からの直流電圧Ｖが第１の閾値に達すると、スピーカ入力信号に対してリミッタ制御を行うようにしている。これによって、ユーザに対しては、まず、報知手段によってスピーカ入力信号が適正範囲を超えたことを知らせることができ、その後、スピーカ入力信号がそれ以上大きくなったとしても、自動的にスピーカ入力信号にリミッタ制御がかけられるので、たとえ、ユーザがスピーカ入力信号を適正な大きさとする操作を行わなくても、スピーカ入力信号がスピーカ１を損傷させるまで過大な入力信号となることはなくなる。
【００４４】
また、報知手段を設けることによって、スピーカ入力信号が適正な範囲内を超えていることをユーザに確実に知らせることができる。たとえば、報知手段がＬＥＤ７のような発光手段である場合には、ユーザはスピーカ入力信号が適正範囲を超えていることを視覚的に確認することができ、また、報知手段が音発生手段９である場合には、ユーザはスピーカ入力信号が適正範囲を超えていることを聴覚的に確認することができる。また、両者を組み合わせることも可能であり、それによって、スピーカ入力信号の状態を、より一層、確実にユーザに知らせることができる。
【００４５】
〔第２の実施の形態〕
図４は、本発明の音響装置の第２の実施の形態を説明する図である。この第２の実施の形態の音響装置は、図１で示した音響装置に、ボイスコイル１ａの温度を検出してボイスコイル１ａの温度が予め設定された温度（これを閾値Ｔｔｈとする）に達したことが検出されるとオンする温度検出部１１と、この温度検出部１１がオンしたとき、整流回路４から出力される直流電圧Ｖ（ボイスコイル１ａの振幅によって誘起される逆起電力を整流して得られる直流電圧であり、この第２の実施の形態においても、ボイスコイル１ａの振幅に基づく直流電圧Ｖという）が抵抗１２とで分圧された直流電圧によって発光動作する発光手段としてのＬＥＤ１３が設けられている。
【００４６】
また、温度検出部１１がオンすると、そのオン信号は、リミッタ信号としてスピーカ駆動回路３に与えられ、スピーカ駆動回路３は、スピーカ入力信号に対してリミッタ制御を行う。なお、上述の閾値Ｔｔｈをどの温度とするかは、種々考えられるが、ここでは、たとえば、ボイスコイル１ａが溶融しない範囲の上限よりも少し低い温度（これを許容限界温度という）に設定するものとする。
【００４７】
また、ＬＥＤ１３は、温度検出部１１がオン状態となったときのボイスコイル１ａの振幅に基づく直流電圧Ｖを抵抗１２とで分圧した直流電圧で点灯するように設定される。また、温度検出部１１の電源は、電流回路４から供給される。
【００４８】
なお、この図４におけるその他の構成は、図１で示したものと同様であるので、同一部分には同一符号を付し、その説明を省略または簡略化する。また、この第２の実施の形態では、説明をわかり易くするため、ＬＥＤ７を第１のＬＥＤ７とし、ＬＥＤ１３を第２のＬＥＤ１３として説明する。
【００４９】
また、これら第１のＬＥＤ７と第２のＬＥＤ１３は、それぞれの発光色を異ならせるようすることも可能で、発光色を異ならせることによって、これら第１のＬＥＤ７と第２のＬＥＤ１３のいずれかまたは両方が点灯したとき、前述の第１の実施の形態で説明した電圧による制御動作がなされているのか、この第２の実施の形態の温度による制御動作がなされているのかが一目でわかる。
【００５０】
このような構成において、第１のＬＥＤ７の点灯制御動作および帰還回路５によるスピーカ入力信号のリミッタ制御動作は、前述の第１の実施の形態で説明したと同じであるので、ここでは、その動作については説明を省略し、ボイスコイル１ａの温度による第２のＬＥＤ１３の点灯制御動作とスピーカ駆動回路３におけるスピーカ入力信号のリミッタ制御動作について説明する。
【００５１】
スピーカ入力信号がスピーカ１にとって適正な入力信号範囲である場合は、ボイスコイル１ａの温度も適正な範囲内、つまり、予め設定された閾値Ｔｔｈに達しないため、ボイスコイル１ａの温度を検出する温度検出部１１はオフ状態を保持する。したがって、第２のＬＥＤ１３には整流回路４からの直流電圧Ｖは与えられず、非点灯状態を保持する。また、スピーカ駆動回路３にもリミッタ信号が与えられないので、スピーカ入力信号に対してはリミッタ制御が行われない。
【００５２】
そして、スピーカ入力信号が大きくなって、ボイスコイル１ａの温度が上昇し、ボイスコイル１ａの温度が閾値Ｔｔｈに達したとすると、温度検出部１１がオン状態となる。それによって、第２のＬＥＤ１３には、この第２のＬＥＤ１３が点灯するに必要な直流電圧Ｖ（抵抗１２とで分圧された電圧）が与えられ、第２のＬＥＤ１３が点灯状態となるとともに、温度検出部１１のオン信号がリミッタ信号として、スピーカ駆動回路３に与えられる。これにより、スピーカ入力信号に対してリミッタ制御がなされ、たとえ、それ以上大きなスピーカ入力信号がスピーカ駆動回路３に入力されても、その時点のリミッタ制御されたスピーカ入力信号の大きさに制限される。
【００５３】
このように、この第２の実施の形態では、ボイスコイル１ａの温度を検出し、ボイスコイル１ａの温度が予め設定した温度Ｔｔｈに達すると、第２のＬＥＤ１３を点灯させるとともに、スピーカ入力信号に対してリミッタ制御を行うようにしているので、ユーザに対してボイスコイル１ａの温度が異常に上昇していることを知らせることができ、かつ、スピーカ１に対してそれ以上大きな入力信号が供給されるのを防止できる。これによって、ボイスコイル１ａが溶融するといった不具合を未然に防止することができる。また、ＤＣ漏れなどを防止でき、ＤＣ漏れなどによるボイスコイル１ａでの異常にも対応することができる。
【００５４】
なお、上述の第２の実施の形態では、ボイスコイル１ａが閾値Ｔｔｈに達した場合、スピーカ入力信号に対してリミッタ制御を行うことにより、ボイスコイル１ａの溶融を未然に防止するようにしたが、より万全を期すために、スピーカ駆動回路３は温度検出部１１からのオン信号を受け取ると、スピーカ入力信号をスピーカ１に供給するのを停止するようにしてもよい。
【００５５】
また、上述の例では、ボイスコイル１ａの温度が閾値Ｔｔｈに達すると、第２のＬＥＤ１３を点灯させるとともに、スピーカ入力信号に対してリミッタ制御を行うようにしたが、ボイスコイル１ａの温度の閾値Ｔｔｈを第１の閾値Ｔｔｈ１と第２の閾値Ｔｔｈ２の２段階に設定し（ただし、Ｔｔｈ１＞Ｔｔｈ２）、ボイスコイル１ａの温度が第２の閾値Ｔｔｈ２に達すると、第２のＬＥＤ１３を点灯させ、ボイスコイル１ａの温度がさらに上昇して第１の閾値Ｔｔｈ１に達すると、第２のＬＥＤ１３の点灯とともにスピーカ入力信号に対してリミッタ制御を行うようにしてもよい。
【００５６】
なお、このときの第１の閾値Ｔｔｈ１は、たとえば、ボイスコイル１ａが溶融しない範囲の上限の温度よりも少し低い温度（許容限界温度）に設定し、第２の閾値Ｔｔｈ２は、たとえば、ボイスコイル１ａの温度の適正範囲内の上限または上限付近に設定する。
【００５７】
この場合、ボイスコイル１ａの温度が第２の閾値Ｔｔｈ２に達したら、まず、第２のＬＥＤ１３を点灯させる動作を行い（その段階では、スピーカ駆動回路３はリミッタ制御を行わない）、ユーザに対してボイスコイル１ａの温度が上昇ぎみであることを知らせる。そして、ボイスコイル１ａの温度がさらに上昇して、その温度が第１の閾値Ｔｔｈ１にまで達したら、第２のＬＥＤ１３の点灯は勿論、スピーカ駆動回路３に対してリミッタ信号を出力し、スピーカ入力信号に対してリミッタ制御を行う。
【００５８】
これによって、ユーザは、第２のＬＥＤ１３が点灯した場合、ボイスコイル１ａの温度が適正範囲を超えたことを知ることができ、それに対する何らかの対処をいち早く行うことができる。また、仮に、対処ができずそれ以上温度が上昇しても、やがては、スピーカ入力信号に対してリミッタ制御がなされるので、ボイスコイル１ａが溶融してしまうといった不具合を未然に防止することができる。
【００５９】
また、このとき、第１の実施の形態同様、第２の閾値Ｔｔｈ２に達したときと第１の閾値Ｔｔｈ１に達したときとで、第２のＬＥＤ１３の発光の仕方を、たとえば、第２の閾値Ｔｔｈ２の段階では点滅発光、第１の閾値Ｔｔｈ１では連続発光などとすることもできる。
【００６０】
また、上述の第２の実施の形態では、温度が異常となったことをユーザに知らせる手段として、発光手段（第２のＬＥＤ１３）を用いたが、第１の実施の形態同様、発光手段の代わりに電子音発生手段などの音発生手段を設けてもよく、また、両者を組み合わせて、両方を同時にまたはいずれか一方を選択して動作させるようにすることもできる。
【００６１】
また、この第２の実施の形態は、図４からもわかるように、前述の第１の実施の形態で説明した音響装置（図１参照）に、この第２の実施の形態で必要な構成要素である温度検出部１１、抵抗１２、第２の発光手段となる第２のＬＥＤ１３を付け加えた構成としている。しかし、ボイスコイル１ａの温度異常に対応させるようにすることだけが目的であれば、図５に示すように、スピーカ１と、スピーカ入力信号発生部２と、スピーカ駆動回路３と、整流回路４と、温度検出部１１と、抵抗１２と、第２のＬＥＤ１３とによって音響装置を構成することができる。
【００６２】
このように、第２の実施の形態の音響装置は、ボイスコイル１ａの温度が適正範囲を超えた場合、それを報知手段となるＬＥＤ１３によって報知するとともに、そのスピーカ入力信号をリミッタ制御するようにしている。これにより、ボイスコイル１ａの温度が適正範囲を超えたことをユーザに知らせることができ、しかも、そのときのスピーカ入力信号に対しては自動的にリミッタ制御を行うようにしているので、それ以上、ボイスコイル１ａの温度が上昇するのを防止することができ、ボイスコイル１ａが溶融するのを未然に防止することができる。
【００６３】
また、ボイスコイル１ａの温度の閾値を第１の閾値とそれより小さい値の第２の閾値の２段階に設定し、まず、報知手段となるＬＥＤ１３でボイスコイル１ａの温度が適正範囲を超えたことを報知する。そして、ボイスコイル１ａの温度がさらに高くなって、第１の閾値に達すると、スピーカ入力信号にリミッタをかけるようにしている。これにより、ユーザに対しては、まず、報知手段１３によってボイスコイル１ａの温度が適正範囲を超えたことを知らせることができ、その後、ボイスコイル１ａの温度がそれ以上大きくなっても、自動的にスピーカ入力信号に対してリミッタ制御が行われるので、ボイスコイル１ａが溶融するまでの温度上昇を抑えることができ、スピーカ１を保護することができる。
【００６４】
さらに、この第２の実施の形態において、報知手段を発光手段や音発生手段とすることで、ボイスコイル１ａの温度が適正範囲を超えていることをユーザに確実に知らせることができる。たとえば、報知手段がＬＥＤ１３のような発光手段である場合には、ユーザはボイスコイル１ａの温度が適正範囲を超えていることを視覚的に確認することができ、また、報知手段が音発生手段である場合には、ユーザはボイスコイル１ａの温度が適正範囲を超えていることを聴覚的に確認することができる。また、両者を組み合わせることも可能であり、それによって、ボイスコイル１ａの温度が適正範囲内を超えていることを、より一層、確実にユーザに知らせることができる。
【００６５】
【発明の効果】
以上説明したように、本発明の音響装置では、ユーザは、スピーカに過大な入力信号が加わっていることを知ることができ、かつ、そのスピーカ入力信号には自動的にリミッタがかかるので、スピーカの損傷を未然に防止することができる。
【００６６】
また、他の発明の音響装置では、ユーザは、スピーカに過大な入力信号が加わってボイスコイルの温度が異常となったことを知ることができ、かつ、そのスピーカ入力信号には自動的にリミッタがかかるので、それ以上、ボイスコイルの温度上昇を防止することができ、スピーカの損傷を未然に防止することができる。
【図面の簡単な説明】
【図１】本発明の音響装置の第１の実施の形態を説明する構成図である。
【図２】本発明の第１の実施の形態の動作を説明する図である。
【図３】本発明の音響装置の第１の実施の形態の変形例を説明する構成図である。
【図４】本発明の音響装置の第２の実施の形態を説明する構成図である。
【図５】本発明の音響装置の第２の実施の形態の変形例を説明する構成図である。
【符号の説明図】
１　スピーカ
１ａ　ボイスコイル
２　スピーカ入力信号発生部
３　スピーカ駆動回路
４　整流回路
５　帰還回路
６、１２　抵抗
７　ＬＥＤ（第１のＬＥＤ、報知手段）
９　音発生手段（報知手段）
１１　温度検出部
１３　ＬＥＤ（第２のＬＥＤ、報知手段）
【図１】
2004007107.tif 000003
【図２】
2004007107.tif 000004
【図３】
2004007107.tif 000005
【図４】
2004007107.tif 000006
【図５】
2004007107.tif 000007